(57)【特許請求の範囲】
【請求項１】
装置本体の前部に設けられて飲料を注出する注出コックと、
前記注出コックの下側にて前記装置本体の前部に傾動可能に軸架された傾動基板と、傾動基板の前側に取り付けられて前記注出コックから注出される飲料を受ける容器を載置する受台とを有する容器受台装置と、
前記装置本体の前部に設けられて、電動モータの駆動によって前記傾動基板を起立した起立姿勢と傾斜した傾斜姿勢との間で傾動させる受台傾動装置と、
前記受台傾動装置の電動モータの駆動を制御することによって、前記傾動基板を前記起立姿勢から前記傾斜姿勢に傾動させることで前記受台に載置した容器を傾動させるように制御する制御装置を備え、
前記制御装置による前記受台傾動装置の電動モータの制御によって、前記傾動基板を前記起立姿勢から前記傾斜姿勢に傾動させることで、前記受台に載置した容器を傾斜させた状態で前記注出コックから飲料を注出する飲料注出装置であって、
前記制御装置は前記電動モータの回転角度または回転の回数を制御することで、前記傾動基板の前記起立姿勢から前記傾斜姿勢への傾動を停止させる角度を変更して設定できるようにしたことを特徴とする飲料注出装置。
【請求項２】
請求項１に記載の飲料注出装置において、
前記受台傾動装置は、前記傾動基板の後側にて前記装置本体にその上部が回動可能に軸支されて、前記傾動基板の後面を押動して前記傾動基板を傾動させるアームと、前記アームを回動させる前記電動モータとを備え、
前記アームの下部を前側斜め上方に所定角度以上で回動させたときに、前記アームの軸支部分より上側の上端部が後側斜め下方に回動する位置で当接する板金部材を前記装置本体の前部に配設して、前記アームを所定角度以上で回動するのを規制するようにしたことを特徴とする飲料注出装置。
【発明の詳細な説明】
【技術分野】
【０００１】
本発明は、ビール等の飲料を注出する飲料注出装置に関する。
【背景技術】
【０００２】
特許文献１にはビール等の飲料を注出する飲料注出装置が開示されている。飲料注出装置は、装置本体の前部に設けられて、操作レバーを傾動させることで弁機構部を開放状態として飲料を注出する注出コックと、装置本体の前部に設けられて注出コックの操作レバーを傾動させることで弁機構部を開閉させるコック操作装置と、装置本体の前部の注出コックの下側に前後方向に傾動可能に軸架された傾動基板にグラス等の容器を載置する受台を有した容器受台装置と、装置本体の前部に設けられて傾動基板を傾動させることで受台に載置したグラス等の容器を傾動させる受台傾動装置とを備えている。
【０００３】
この飲料注出装置は、操作パネルの自動注出操作ボタンをオン操作すると、受台傾動装置により傾動基板の後面を押動して傾動基板の下端部を斜め前方に押しだして傾動させ、受台に載置したグラス等の容器を傾動基板とともに前後に傾動させる。グラス等の容器を傾動させた後に、コック操作装置によって注出コックの操作レバーをグラス等の容器に応じた時間で傾動させて、傾斜姿勢としたグラス等の容器に所定量のビールを注出するようにして、ビールをグラス等の容器内でできるだけ泡立たないように注ぐようにしている。
【先行技術文献】
【特許文献】
【０００４】
【特許文献１】特開２００２−０２９５９６号公報
【発明の概要】
【発明が解決しようとする課題】
【０００５】
上記のような特許文献１に記載の飲料注出装置は、受台傾動装置は傾動基板の後側にて装置本体に前後方向に回動可能に軸支されたアームと、アームを回動させる電動モータとを備えている。アームは傾動基板の後面を押動せずに傾動基板を鉛直に起立した起立姿勢とする第１位置と、傾動基板の後面を押動して傾動基板を所定の角度で傾動させて傾斜姿勢とする第２位置との間で回動可能に支持されている。受台傾動装置は第１位置にあるアームによってオンされる第１マイクロスイッチと、第２位置にあるアームによってオンされる第２マイクロスイッチとを備え、アームが第１及び第２位置になったことを第１及び第２マイクロスイッチがオンされることによって検知している。自動注出プログラムを実行するときには、第２マイクロスイッチがオンされるまで電動モータを正回転で作動させることによってアームを第２位置まで回動させ、傾動基板を第２位置まで回動させたアームによって傾斜姿勢まで傾動させる。注出コックからグラス等の容器に所定量のビールを注出すると、第１マイクロスイッチがオンされるまで電動モータを逆回転で作動させることによってアームを第１位置まで回動させ、傾動基板を第１位置まで回動させたアームによって起立姿勢まで復帰させる。
【０００６】
この飲料注出装置では、設置した飲食店によって異なる形状や容量のグラスやジョッキ等の容器を用いてビールを注出させることがある。グラスやジョッキ等の容器によっては上記の傾斜姿勢よりも起立させる、または、さらに傾斜させる方がビールの泡立ちを抑えることができる場合がある。しかし、この飲料注出装置では、アームを第２マイクロスイッチにオンさせる位置まで回動させることで、傾動基板を上記の傾斜姿勢に傾動させているため、傾動基板の傾斜姿勢の角度を変更することができなかった。本発明は、飲料注出装置において、容器受台装置の傾動基板の傾斜姿勢の角度を変更できるようにすることを目的とする。
【課題を解決するための手段】
【０００７】
本発明は上記課題を解決するため、装置本体の前部に設けられて飲料を注出する注出コックと、注出コックの下側にて装置本体の前部に傾動可能に軸架された傾動基板と、傾動基板の前側に取り付けられて注出コックから注出される飲料を受ける容器を載置する受台とを有する容器受台装置と、装置本体の前部に設けられて、電動モータの駆動によって傾動基板を起立した起立姿勢と傾斜した傾斜姿勢との間で傾動させる受台傾動装置と、受台傾動装置の電動モータの駆動を制御することによって、傾動基板を起立姿勢から傾斜姿勢に傾動させることで受台に載置した容器を傾動させるように制御する制御装置を備え、制御装置による受台傾動装置の電動モータの制御によって、傾動基板を起立姿勢から傾斜姿勢に傾動させることで、受台に載置した容器を傾斜させた状態で注出コックから飲料を注出する飲料注出装置であって、制御装置は電動モータの回転角度または回転の回数を制御することで、傾動基板の起立姿勢から傾斜姿勢への傾動を停止させる角度を変更して設定できるようにしたことを特徴とする飲料注出装置を提供するものである。
【０００８】
上記のように構成した飲料注出装置においては、制御装置は電動モータの回転角度または回転の回数を制御することで、傾動基板の起立姿勢から傾斜姿勢への傾動を停止させる角度を変更して設定できるようにしたので、傾動基板を容器に応じた傾斜姿勢の傾斜角度で傾動させることができるようになった。
【０００９】
上記のように構成した飲料注出装置においては、受台傾動装置は傾動基板の後側にて装置本体にその上部が回動可能に軸支されて、傾動基板の後面を押動して傾動基板を傾動させるアームと、アームを回動させる電動モータとを備え、アームの下部を前側斜め上方に所定角度以上で回動させたときに、アームの軸支部分より上側の上端部が後側斜め下方に回動する位置で当接する板金部材を装置本体の前部に配設して、アームを所定角度以上で回動するのを規制するようにするのが好ましく、このようにしたときには、電動モータに対する制御に不具合が生じてアームを所定角度以上で回動させようとしても、アームは上端部が板金部材に当接することで所定角度以上で回動するのを規制されるので、傾動基板が意図しない角度以上で傾動するのを防ぐことができた。
【図面の簡単な説明】
【００１０】
【図１】本発明による飲料注出装置の一実施形態の斜視図である。
【図２】図１の装置本体の前部に設けた各部品を分解した斜視図である。
【図３】図１の前後方向に沿った縦方向断面図である。
【図４】取付板と受台傾動装置の分解斜視図である。
【図５】装置本体の前部にて容器受台装置と受台傾動装置とを示す一部拡大縦方向断面図であり、傾動基板が起立姿勢にあるとき（ａ）、傾動基板が傾斜姿勢にあるとき（ｂ）、傾動基板を傾斜姿勢からさらに傾動させたとき（ｃ）の一部拡大縦方向断面図である。
【発明を実施するための形態】
【００１１】
以下に、本発明による飲料注出装置の一実施形態を図面を参照して説明する。本発明の飲料注出装置１０は注出コック２０からグラスやジョッキ（容器）にビール（飲料）を自動注出するものであり、特に、グラスやジョッキ内でビールが過剰に泡立つのを防ぐように注出するものである。この実施形態の飲料注出装置１０は、注出コック２０、コック操作装置３０、容器受台装置４０及び受台傾動装置５０を含む自動注出ユニット１２Ｌ，１２Ｒを左右に２つ備えており、自動注出ユニット１２Ｌ，１２Ｒは左右同一のものであるので以後の説明では一方のみを説明する。
【００１２】
図１〜図３に示したように、本発明の飲料注出装置１０は、装置本体１１の前部に設けられてビールを注出する注出コック２０と、注出コック２０の下側にて装置本体１１の前部に傾動可能に軸架された傾動基板４２と、傾動基板４２の前側に取り付けられて注出コック２０から注出されるビールを受けるグラスまたはジョッキを載置する受台４３とを有する容器受台装置４０と、装置本体１１の前部に設けられて、電動モータ５１の駆動によって傾動基板４２を起立した起立姿勢と傾斜した傾斜姿勢との間で傾動させる受台傾動装置５０と、受台傾動装置５０の電動モータ５１の駆動を制御することによって、傾動基板４２を起立姿勢から傾斜姿勢に傾動させることで受台４３に載置したグラスまたはジョッキを傾動させるように制御する制御装置６０を備え、制御装置６０による受台傾動装置５０の電動モータ５１の制御によって受台４３に載置したグラスまたはジョッキを傾斜させた状態で注出コック２０からビールを注出するものである。この飲料注出装置１０においては、制御装置６０は電動モータ５１の回転角度または回転の回数を制御することで、傾動基板４２の傾斜姿勢の角度を調整可能としたことを特徴とするものである。以下に、この飲料注出装置１０について詳述する。
【００１３】
図３に示したように、飲料注出装置１０は、装置本体１１内の上部に冷却水槽１３と、装置本体１１の下部の機械室に冷却水槽１３内の冷却水を冷却する冷凍装置１４とを内蔵している。冷却水槽１３内には飲料冷却管１５が設けられており、飲料冷却管１５の導入端部には装置本体１１の外部に設けたビア樽（図示しない）が接続され、飲料冷却管１５の導出端部１５ａには装置本体１１の上部に設けた注出コック２０が接続されている。なお、ビア樽にはガスボンベ（図示しない）が接続されており、ビア樽のビールはガスボンベの炭酸ガスの圧力によって飲料冷却管１５に送られるようになっている。
【００１４】
図２及び図３に示したように、装置本体１１の前部には注出コック２０が取り付けられ、装置本体１１の前部には装置本体１１の前部に固定された取付板１６を介してコック操作装置３０と、容器受台装置４０と、受台傾動装置５０とが取り付けられている。また、装置本体１１の前部には取付板１６の前側にカバー１７が設けられており、カバー１７により受台傾動装置５０が覆われている。カバー１７には上下方向の中間部に上下に延びる貫通孔よりなるスリット１７ａが形成されており、このスリット１７ａから受台傾動装置５０のアーム５２が前方に突出可能となっている。
【００１５】
図３に示したように、注出コック２０は、グラスにビールを注出するものであり、弁機構部２１ａを内蔵した筒状の本体部２１の上部に操作レバー２２と、下部に注出ノズル２３（２３ａ，２３ｂ）とを備えている。本体部２１の弁機構部２１ａは開放状態とすることによって注出ノズル２３にビールを導くものである。また、弁機構部２１ａは、液用開放状態とすることで液用の注出ノズル２３ｂに液状態のビールを導き、泡用開放状態とすることで泡用の注出ノズル２３ａに泡状態のビールを導くようになっている。操作レバー２２は弁機構部２１ａを閉止状態と開放状態との開閉操作を行うためのものである。操作レバー２２は、垂直に起立した起立位置にあるときには弁機構部２１ａを閉止状態とし、前方に傾動（前傾）させると弁機構部２１ａを液用開放状態とし、後方に傾動（後傾）させると弁機構部２１ａを泡用開放状態とする。注出ノズル２３は弁機構部２１ａを通過したビールをグラスに注出するものであり、本体部２１の下部の前部にビールを泡状態で注出する泡用の注出ノズル２３ａと、本体部２１の下部の後部にビールを液状態で注出する液用の注出ノズル２３ｂとを備えている。
【００１６】
図３に示したように、コック操作装置３０は注出コック２０の弁機構部２１ａを開閉操作させるためのものである。コック操作装置３０の筐体３１内には注出コック２０の操作レバー２２を前後に傾動させる操作機構部３２が設けられており、操作機構部３２は操作レバー２２を前後に傾動させることによって弁機構部２１ａを開閉操作させる。操作機構部３２はサーボモータ３３と、前後に移動可能に支持されたスライダ３４とを備えている。操作機構部３２は、サーボモータ３３の駆動によってスライダ３４を前後に移動させ、前後に移動するスライダ３４によって操作レバー２２を前後に傾動させて、弁機構部２１ａを開閉操作させるものである。
【００１７】
図３に示したように、容器受台装置４０は、注出コック２０から注出されるビールをグラスまたはジョッキ内にできるだけ泡立つことのないように注出することを目的としたものであり、グラスまたはジョッキを前後方向に傾斜させることを可能としたものである。容器受台装置４０は、装置本体１１の前部の取付板１６に固定されたブラケット４１と、ブラケット４１にその上端部が水平軸線回りに傾動可能に軸架された傾動基板４２と、傾動基板４２に取り付けた受台４３（４３ａ，４３ｂ）とを備えている。ブラケット４１の左右のアーム４１ａは取付板１６からカバー１７の前側に突出しており、傾動基板４２はカバー１７の前側にて水平軸線回りに傾動可能に軸架されている。傾動基板４２は後述する受台傾動装置５０のアーム５２によって後面が押動されると下端部が斜め前方に押し上げられるように軸架されている。受台４３は傾動基板４２の上下方向の中間部と下部とに上下２段に取り付けた受台４３ａ，４３ｂとからなる。上段の受台４３ａは主としてグラス等の小型の容器を載置するものであり、下段の受台４３ｂは主としてグラスよりも容量の多いジョッキ等の大型の容器を載置するものである。
【００１８】
上段の受台４３ａは傾動基板４２に対して水平軸線回りに回動可能に支持されており、下段の受台４３ｂに容器を載置するときには、上段の受台４３ａを前方に突出した使用位置から傾動基板４２に沿う退避位置まで退避させる。装置本体１１の前部には上段または下段の受台４３ａ，４３ｂが使用状態であることを検知する検知器４４が設けられており、検知器４４はこの実施形態ではリードスイッチ等の近接センサを用いている。上段の受台４３ａの側部には検知器４４より検知される被検知部材として磁石４５が設けられており、磁石４５は上段の受台４３ａが退避位置に退避したときに検知器４４に近接するようになっている。具体的には、グラスを載置するときのように、上段の受台４３ａが傾動基板４２から前方に突出した使用位置にあるときには、磁石４５は検知器４４から離間しており、検知器４４は磁石４５が離間していることでオフ信号を出力し、上段の受台４３ａが使用状態であることを検知する。これに対し、下段の受台４３ｂにジョッキを載置するときのように、上段の受台４３ａが傾動基板４２に沿う退避位置にあるときには、磁石４５は検知器４４に近接しており、検知器４４は磁石４５が近接していることでオン信号を出力し、下段の受台４３ｂが使用状態であることを検知する。
【００１９】
図２〜図５に示したように、受台傾動装置５０は、傾動基板４２を起立姿勢から傾斜姿勢に傾動させ、傾斜姿勢から起立姿勢に復帰させるものである。受台傾動装置５０は、電動モータ５１と、電動モータ５１の駆動によって回動するアーム５２とを有している。電動モータ５１はこの実施形態では減速機構付のステッピングモータを採用しており、制御装置６０から出力されるパルス信号の信号数に応じて回転角度または回転の回数（回転速度ではなく電動モータ５１の回転軸が回転する回数（回転数）である。）を制御可能としたものである。なお、電動モータ５１に回転軸の位置を検出する検出器付きのサーボモータを用い、検出器からの検出に基づいて回転角度または回転の回数を制御可能としたものであってもよい。
【００２０】
アーム５２は電動モータ５１の駆動を受けて回動し、傾動基板４２の後面を押動するものである。電動モータ５１は減速機構を備えたギヤモータであるので、電動モータ５１の回転軸が回転した回数に応じてアーム５２は回動する。アーム５２の上端部は取付板１６に左右方向の水平軸線回りに回動可能に軸支されており、アーム５２は傾動基板４２の後面を押動せずに下側に垂下する第１位置（図５（ａ）に示す）と、カバー１７のスリット１７ａから突き出て傾動基板４２の後面を押動して傾動基板４２を傾斜姿勢に傾動させる第２位置（図５（ａ）に示す）との間で回動可能に軸支されている。アーム５２の後部は後側に膨れた弧面形状をしており、アーム５２が第２位置よりさらに回動したときには、アーム５２の上端部は後側に設けた板金部材５３に当接して、アーム５２が第２位置よりもさらに回動させた所定角度以上で回動しないように規制されている（５（ｃ）に示す）。
【００２１】
図３に示したように、飲料注出装置１０は、グラス等の容器にビールを注出するのを制御する制御装置６０を備えており、制御装置６０は、コック操作装置３０（特にサーボモータ３３）、検知器４４及び受台傾動装置５０（特に電動モータ５１）に接続されている（図３では接続関係についての記載を省略している）。制御装置６０は内蔵するマイクロコンピュータによりメモリに記憶させた自動注出プログラムを実行すると、コック操作装置３０の作動を制御して操作レバー２２を一定時間傾動させることで弁機構部２１ａを開放させて、注出コック２０の注出ノズル２３からグラスまたはジョッキに所定量のビールを注出させる。また、この実施形態では、ビールを注出させるのに対応して、受台傾動装置５０の電動モータ５１の作動を制御して、容器受台装置４０の傾動基板４２及び受台４３に載置したグラスまたはジョッキの姿勢を制御している。制御装置６０は、電動モータ５１の回転角度または回転の回数を制御するためのパルス信号を発信するパルス発生器を有した電動モータ制御部６１を備えており、電動モータ制御部６１によって電動モータ５１の回転角度または回転の回数が制御されている。
【００２２】
図１及び図２に示したように、コック操作装置３０の筐体３１の前面には飲料注出装置１０の操作をするための操作パネル７０が設けられている。操作パネル７０には、各種操作ボタンとして、自動注出操作ボタン７１と、注出停止ボタン７２とを備えている。また、操作パネル７０にはカバー７３が開閉自在に設けられており、操作パネル７０のカバー７３に覆われた部分には他の操作ボタンと表示部（何れも図示省略）が配置されている。
【００２３】
上記のように構成した飲料注出装置１０の自動注出プログラムの作動について説明する。装置本体１１内の冷却水槽１３内の冷却水は冷凍装置１４により冷却されている。グラスにビールを注出するときには、上段の受台４３ａを使用位置にして、上段の受台４３ａにグラスを載置し、ジョッキにビールを注出するときには、上段の受台４３ａを退避位置にして下段の受台４３ｂにジョッキを載置する。上段の受台４３ａが傾動基板４２から前方に突出しているときには、上段の受台４３ａの側部の磁石４５が検知器４４から離間しており、検知器４４は上段の受台４３ａが使用状態であることの検知であるオフ信号を制御装置６０に出力している。これに対し、上段の受台４３ａが傾動基板４２に沿って退避しているときには、上段の受台４３ａの側部の磁石４５が検知器４４に近接しており、検知器４４は下段の受台４３ｂが使用状態であることの検知であるオン信号を制御装置６０に出力している。
【００２４】
制御装置６０は、操作パネル７０の自動注出操作ボタン７１のオン操作の入力に基づいて自動注出プログラムを実行すると、制御装置６０は電動モータ制御部６１による制御に基づいて、図５（ｂ）に示したように、受台傾動装置５０の電動モータ５１を駆動させてアーム５２を第１位置から第２位置まで回動させ、容器受台装置４０の傾動基板４２を起立姿勢から傾斜姿勢に傾動させる。傾動基板４２が傾斜姿勢になると、受台４３ａ，４３ｂに載置したグラスまたはジョッキは傾動基板４２とともに傾斜して傾斜姿勢となる。制御装置６０は、検知器４４による検知に基づいてコック操作装置３０によりグラスまたはジョッキに対応した時間で操作レバー２２を前方に傾動させる。注出コック２０の弁機構部２１ａはグラスまたはジョッキに対応した時間で液用に開放され、液用の注出ノズル２３ｂから傾斜させたグラスまたはジョッキに液状態のビールが注出される。
【００２５】
液状態のビールを注出すると、制御装置６０は、コック操作装置３０により操作レバー２２を起立位置に戻し、弁機構部２１ａを閉止状態とすることで、注出コック２０からビールの注出を停止させる。また、制御装置６０は電動モータ制御部６１による制御に基づいて、図５（ａ）に示したように、受台傾動装置５０の電動モータ５１を駆動させてアーム５２を第２位置から第１位置まで回動させ、容器受台装置４０の傾動基板４２を傾斜姿勢から起立姿勢に復帰させる。傾動基板４２を起立姿勢に戻すことで、受台４３ａ，４３ｂに載置したグラスまたはジョッキは起立姿勢に戻る。次に、制御装置６０は、検知器４４による検知に基づいてコック操作装置３０によりグラスまたはジョッキに対応した時間で操作レバー２２を後方に傾動させる。注出コック２０の弁機構部２１ａはグラスまたはジョッキに対応した時間で泡用に開放され、泡用の注出ノズル２３ａからグラスまたはジョッキに泡状態のビールが注出される。グラスまたはジョッキに対応した時間での泡状態のビールの注出が終了すると、制御装置６０は、コック操作装置３０により操作レバ−２２を起立位置に戻し、注出コック２０の弁機構部２１ａを再び閉止状態とする。
【００２６】
上記のように構成した飲料注出装置１０においては、制御装置６０は受台傾動装置５０の電動モータ５１の回転角度または回転の回数を制御する電動モータ制御部６１を備え、この電動モータ制御部６１の制御により電動モータ５１の回転角度または回転の回数を制御することで、傾動基板４２の傾斜姿勢の角度を調整可能とした。これにより、飲料注出装置１０を設置した飲食店等で異なる形状または容量のグラスまたはジョッキ等の容器を採用したときでも、グラスまたはジョッキの形状または容量に応じて傾動基板４２の傾斜姿勢の角度を設定することができ、受台４３ａ，４３ｂに載置したグラスまたはジョッキに液状態のビールを注出するときにできるだけ泡立ちを抑えて注出することが可能となった。なお、この実施形態では、電動モータ５１に減速機構付のステッピングモータを採用したため、電動モータ制御部６１により電動モータ５１の回転の回数を制御することで、傾動基板４２の傾斜姿勢の角度を調整可能としたが、電動モータ５１が減速機構を備えないものであるときには、電動モータ制御部６１により電動モータ５１の回転角度を制御することで、傾動基板４２の傾斜姿勢の角度を調整可能とすればよい。
【００２７】
また、受台傾動装置５０は傾動基板４２の後側にて装置本体１１の取付板１６にその上部が回動可能に軸支されて、傾動基板４２の後面を押動して傾動基板４２を傾動させるアーム５２と、アーム５２を回動させる電動モータ５１とを備え、装置本体１１の前部の取付板１６にはアーム５２の後側に板金部材５３を配設した。図５（ｃ）に示したように、アーム５２が第２位置よりもさらに回動させた所定角度以上で回動したときに、アーム５２の上端部が板金部材５３に当接して、アーム５２が所定角度以上で回動するのを規制されるようにした。これにより、電動モータ５１に対する制御に不具合が生じてアーム５２を所定角度以上で回動させようとしても、アーム５２は上端部が板金部材５３に当接することで所定角度以上で回動するのを規制されるようになった。これにより、傾動基板４２が意図しない角度以上で傾動するのを防ぐことができるとともに、スリット１７ａから突出させたアーム５２がカバー１７を破損させることがない。なお、アーム５２を第１位置に戻したときよりもさらに回動させたときに、アーム５２の後面の上下方向の中間部は板金部材５３に当接することで、アーム５２を第１位置よりもさらに回動させた所定角度以上で回動するのを規制するようにもしている。
【００２８】
上記のように構成した飲料注出装置１０においては、飲料としてビールを注出するもので説明したが、本発明はこれに限られるものでなく、発泡酒、酎ハイ、炭酸飲料、ソフトドリンク等の他の飲料に適用できるものであり、これらの飲料を注出するものであっても上述したのと同様の作用効果を得ることができる。
【００２９】
上記のように構成した飲料注出装置１０においては、注出ノズル２３は泡用の注出ノズル２３ａと液用の注出ノズル２３ｂとからなるが、本発明はこれに限られるものでなく、１つの注出ノズル２３から液状態及び泡状態の発泡性飲料を注出するようにしたものであってもよく、このようにしたときにも上述したのと同様の作用効果を得ることができる。また、ソフトドリンクのように発泡性のない飲料を注出するときであれば、注出ノズル２３の弁機構部２１ａを液用にのみ開放させるようするのが好ましい。
【符号の説明】
【００３０】
１０…飲料注出装置、１１…装置本体、２０…注出コック、４０…容器受台装置、４２…傾動基板、４３（４３ａ，４３ｂ）…受台、５０…受台傾動装置、５１…電動モータ、５２…アーム、５３…板金部材、６０…制御装置。
【図１】
0006628982.tif 000002
【図２】
0006628982.tif 000003
【図３】
0006628982.tif 000004
【図４】
0006628982.tif 000005
【図５】
0006628982.tif 000006